(57)【要約】【課題】エンジンのコンロッドのように、複数の部材が締結部材で締結されることで１つの環（リング）状の部品となり、その複数の部材にクラッキングによって分割されたものを用いることで、破断面の凹凸を利用して、簡単に接合面の面ずれを防止し、コストダウンや軽量化を実現するようにした金属部品の組立てにあたって、該金属部品がスチール等の延性を有する材料から成る場合でも、分離荷重の低下を抑え、疲労限界を大きくする。【解決手段】分割されたロッド本体４とキャップ５とを、仕上げ加工にあたって仮組みする際に、超音波振動手段１３によって超音波振動を与えつつ、ナットランナー１２でナットの締付けを行う。したがって、ブラハ効果および部材間の摩擦の低減によって、僅かな押圧力で部材同士を押圧するだけで、接合面は発熱して軟化し、完全一致に近い状態で締結でき、部材間の接触面積の低下による分離荷重の低下を抑え、疲労限界を大きくできる。【選択図】図１
2010131622.tif 000002
【特許請求の範囲】
【請求項１】
延性を有する材料で環状に形成された状態から複数に分割後、相互に組合わせられて締結部材で締結されることで、前記環状部内に別部材を抱え込むようにした金属部品の組立て装置において、
前記締結の際に、前記金属部品に超音波振動を与える超音波振動手段を含むことを特徴とする金属部品の組立て装置。
【請求項２】
前記超音波振動手段は、前記環状の外径方向から超音波を伝播する第１の超音波振動手段と、前記環状の軸方向から超音波を伝播する第２の超音波振動手段とを備えて構成されることを特徴とする請求項１記載の金属部品の組立て装置。
【請求項３】
前記金属部品は、互いに半割れ状に２分割され、前記第１の超音波振動手段は、前記半割れの中央位置からずれて配置されることを特徴とする請求項２記載の金属部品の組立て装置。
【請求項４】
前記超音波よりも低い振動を与える音波振動手段をさらに備え、
前記締結の前に、前記音波振動手段によって、前記分割された少なくとも一方の部材に前記音波振動を与えることで、切粉除去を行うことを特徴とする請求項１〜３のいずれか１項に記載の金属部品の組立て装置。
【請求項５】
前記音波振動手段は、前記超音波振動手段と共通の超音波伝播部材に取付けられることを特徴とする請求項４記載の金属部品の組立て装置。
【請求項６】
前記金属部品は、エンジンのコネクティングロッドであることを特徴とする請求項１〜５のいずれか１項に記載の金属部品の組立て装置。
【請求項７】
延性を有する材料で環状に形成された金属部品を複数に分割する破断工程と、
前記分割された部材を相互に組合わせ、少なくとも１つの部材に超音波を与えつつ、接合面を押圧し、締結部材で締結する締結工程とを含むことを特徴とする金属部品の組立て方法。
【請求項８】
前記破断工程の後に、分割部分における前記環の収縮した径を計測する計測工程と、
その計測結果に応答して、前記分割部分を拡径させて前記収縮分を矯正する矯正工程とをさらに備えることを特徴とする請求項７記載の金属部品の組立て方法。
【請求項９】
前記締結工程の前に、分割部分の破断面をブラッシングして切粉を除去するブラッシング工程をさらに備えることを特徴とする請求項７または８記載の金属部品の組立て方法。
【発明の詳細な説明】
【技術分野】
【０００１】
本発明は、金属部品の組立て装置および方法に関し、特に、前記金属部品が、エンジンのコネクティングロッドのように、延性を有する材料で環（リング）状に形成された状態から複数に分割後、相互に組合わせられて締結部材で締結されることで、前記環（リング）状部内に別部材を抱え込むような構成の場合に用いられ、たとえば仕上げ加工にあたって、仮組みするためのものに関する。
【背景技術】
【０００２】
前記エンジンのコネクティングロッドのように、複数の部材が締結部材で締結されることで１つの環（リング）状の部品となり、前記複数の部材がそれぞれ別途に準備されたものではなく、元は一体に成型されたものが、いわゆるクラッキングによって前記複数に分割されたものを用いることで、破断面の凹凸を利用して、位置決めピン等を用いることなく、簡単に接合面の面ずれを防止し、コストダウンや軽量化を実現するようにした金属部品が従来から提案されている。
【０００３】
そのような金属部品として、特許文献１には、スチールコンロッドの貫通孔に半割型マンドレルを嵌合し、この半割型マンドレルに楔を打ち込んで破断する方法において、上記マンドレルで拡張される貫通孔の拡張速度または拡張加速度を管理することで、経験によらず最適な破断状態を得られるようにしたものが示されている。
【特許文献１】特開２００５−１４４５６０号公報
【発明の開示】
【発明が解決しようとする課題】
【０００４】
上述の特許文献１は、破断時に如何に正確に分割するかの管理方法を開示するものである。ところで、金属部品が、焼結材の場合は比較的綺麗に分割できるけれども、スチール等の延性を有する材料から成る場合、以下のような問題が生じる。先ず、図９で示すように前記破断面の変形で凹凸が完全に一致しないことである。図９は前記スチールコンロッドを示し、拡大して示す破断面では、面方向に対して、凹凸を１０倍に拡大している。その拡大図で示すように、ロッド本体の凹部および凸部に対して、キャップの対応する凸部および凹部が、完全に嵌り込む形状となっていない。次に、バリや髭等の切粉様の余分な物が発生することである。さらに、図１０で示すように、環（リング）状の真円度の低下で、ボルトなどの締結部材が挿通する孔の真直度にずれが生じることである。すなわち、破断時には、前記環（リング）の分割部分には、矢符Ａ方向の引っ張りの力が生じ、前記環（リング）の径Ｄは収縮することになる。このためボルト孔はΔＤ、たとえば６０μｍも半径方向内方側に変位する。
【０００５】
したがって、前記ロッド本体にキャップをボルト締結したときに、その締結力（前記ボルトの軸力）は、前記凹凸面の変形の修正、切粉の圧縮（押し潰す）、前記真直度の修正などに使用され、締結すべき部材間の分離荷重が低下し、疲労限界が小さくなるという問題がある。
【０００６】
本発明の目的は、分割された環状の金属部品を組立てるにあたって、接合面（延性破断面）を一致させ、部材間の接触面積の低下による分離荷重の低下を抑えることができる金属部品の組立て装置および方法を提供することである。
【課題を解決するための手段】
【０００７】
本発明の金属部品の組立て装置は、延性を有する材料で環（リング）状に形成された状態から複数に分割後、相互に組合わせられて締結部材で締結されることで、前記環（リング）状部内に別部材を抱え込むようにした金属部品を、たとえば仕上げ加工にあたって、仮組みするための組立て装置において、前記締結の際に、前記金属部品に超音波振動を与える超音波振動手段を含むことを特徴とする。
【０００８】
また、本発明の金属部品の組立て方法は、延性を有する材料で環（リング）状に形成された金属部品を複数に分割する破断工程と、前記分割された部材を相互に組合わせ、少なくとも１つの部材に超音波を与えつつ、接合面を押圧し、締結部材で締結する締結工程とを含むことを特徴とする。
【０００９】
上記の構成によれば、エンジンのコネクティングロッドのように、複数の部材が締結部材で締結されることで１つの環（リング）状の部品となり、前記複数の部材がそれぞれ別途に準備されたものではなく、元は一体に成型されたものが、いわゆるクラッキングによって前記複数に分割されたものを用いることで、破断面の凹凸を利用して、位置決めピン等を用いることなく、簡単に接合面の面ずれを防止し、コストダウンや軽量化を実現するようにした金属部品において、該金属部品が、焼結材の場合は比較的綺麗に分割できるが、スチール等の延性を有する材料から成る場合、前記破断面の変形で凹凸が完全に一致せず、また切粉様の余分な物が発生し、さらに環（リング）状の真円度の低下で、ボルトなどの締結部材が挿通する孔の真直度にずれが生じる。このため、前記締結部材による締結時に、その締結力（前記ボルトの軸力等）が、前記凹凸面の変形の修正、切粉の圧縮、前記真直度の修正などに使用され、締結すべき部材間の分離荷重が低下し、疲労限界が小さくなる。そこで本発明では、分割された部材を、たとえば仕上げ加工にあたって仮組みする際に、超音波振動手段によって超音波振動を与える。前記仮組みから仕上げ加工の後は、前記部材は再度分割され、前記環（リング）状部内に別部材を抱え込むようにして、本組立てが行われる（前記コネクティングロッドの場合、エンジンの組立て工程でクランクシャフトに取付けられる）。
【００１０】
したがって、前記超音波振動によるブラハ効果および部材間の摩擦の低減によって、僅かな押圧力で部材同士を押圧するだけで、接合面（延性破断面）は発熱して軟化し、良く馴染んで互いに密着することになる。これによって、前記接合面（延性破断面）を完全一致に近い状態で締結でき、部材間の接触面積の低下による前記分離荷重の低下を抑え、疲労限界を大きくすることができる。
【００１１】
さらにまた、本発明の金属部品の組立て装置では、前記超音波振動手段は、前記環（リング）状の外径方向から超音波を伝播する第１の超音波振動手段と、前記環（リング）状の軸方向から超音波を伝播する第２の超音波振動手段とを備えて構成されることを特徴とする。
【００１２】
上記の構成によれば、第１の超音波振動手段は前記接合面の押圧方向（締結方向）に超音波を伝播し、第２の超音波振動手段は前記接合面の側方から超音波を伝播する。
【００１３】
したがって、前記接合面（延性破断面）はより良く馴染み、該接合面（延性破断面）をより完全一致に近い状態で締結でき、部材間の接触面積の低下による前記分離荷重の低下を一層抑えることができる。
【００１４】
また、本発明の金属部品の組立て装置では、前記金属部品は、互いに半割れ状に２分割され、前記第１の超音波振動手段は、前記半割れ（１８０°）の中央位置（９０°位置）からずれて配置されることを特徴とする。
【００１５】
上記の構成によれば、前記金属部品が互いに半割れ状に２分割される場合、前記環（リング）状の外径方向から超音波を伝播する第１の超音波振動手段を、前記半割れ（１８０°）の中央位置（９０°位置）からオフセット配置すると、前記接合面（延性破断面）には捻れ振動が発生する。
【００１６】
したがって、前記接合面（延性破断面）はより良く軟化し、該接合面（延性破断面）をより完全一致に近い状態で締結でき、部材間の接触面積の低下による前記分離荷重の低下をより一層抑えることができる。
【００１７】
さらにまた、本発明の金属部品の組立て装置は、前記超音波よりも低い振動を与える音波振動手段をさらに備え、前記締結の前に、前記音波振動手段によって、前記分割された少なくとも一方の部材に前記音波振動を与えることで、切粉除去を行うことを特徴とする。
【００１８】
上記の構成によれば、前記金属部品が前記クラッキングによって分割される際に前記延性によって生じた切粉を、音波振動手段で除去することができる。
【００１９】
したがって、前記接合面（延性破断面）をより完全一致に近い状態で締結でき、部材間の接触面積の低下による前記分離荷重の低下を一層抑えることができる。
【００２０】
また、本発明の金属部品の組立て装置では、前記音波振動手段は、前記超音波振動手段と共通の超音波伝播部材に取付けられることを特徴とする。
【００２１】
上記の構成によれば、超音波伝播用の超音波伝播部材と、切粉除去用の振動板とを共用することができる。
【００２２】
さらにまた、本発明の金属部品の組立て装置では、前記金属部品は、エンジンのコネクティングロッドであることを特徴とする。
【００２３】
上記の構成によれば、エンジンのコネクティングロッドの場合、前記コストダウンや軽量化の要求が厳しく、スチールクラッキングが好適であるが、精度や分離荷重にも厳しい値が要求されるので、本発明を特に好適に実施することができる。
【００２４】
また、本発明の金属部品の組立て方法は、前記破断工程の後に、分割部分における前記環（リング）の収縮した径を計測する計測工程と、その計測結果に応答して、前記分割部分を拡径させて前記収縮分を矯正する矯正工程とをさらに備えることを特徴とする。
【００２５】
上記の構成によれば、破断工程で前記環（リング）の分割部分には引っ張りの力が生じ、前記環（リング）の径は収縮するので、その収縮した径を計測し、その計測結果に応じて拡径するように矯正しておくことで、接合面（延性破断面）の傾きを無くすことができるとともに、ボルトなどの締結部材が挿通する孔の真直度を高めることができる。これによって、前記接合面（延性破断面）をより完全一致に近い状態で締結することができる。
【００２６】
さらにまた、本発明の金属部品の組立て方法は、前記締結工程の前に、分割部分の破断面をブラッシングして切粉を除去するブラッシング工程をさらに備えることを特徴とする。
【００２７】
上記の構成によれば、延性を有する材料で環（リング）状に形成された金属部品を互いに引き離しで分割すると前記延性によって分割部分には切粉が生じるので、ブラッシングによってそれを除去しておくことで、前記接合面（延性破断面）をより完全一致に近い状態で締結できる。
【発明の効果】
【００２８】
本発明の金属部品の組立て装置および方法は、エンジンのコネクティングロッドのように、複数の部材が締結部材で締結されることで１つの環（リング）状の部品となり、前記複数の部材が元は一体に成型されたものが、いわゆるクラッキングによって前記複数に分割されたものを用いることで、破断面の凹凸を利用して、簡単に接合面の面ずれを防止し、コストダウンや軽量化を実現するようにした金属部品において、該金属部品がスチール等の延性を有する材料から成る場合、分割された部材を組立てる際に、超音波振動手段によって超音波振動を与える。
【００２９】
それゆえ、ブラハ効果および部材間の摩擦の低減によって、僅かな押圧力で部材同士を押圧するだけで、接合面（延性破断面）は発熱して軟化し、良く馴染んで互いに密着することになる。これによって、前記接合面（延性破断面）を完全一致に近い状態で締結でき、部材間の接触面積の低下による分離荷重の低下を抑え、疲労限界を大きくすることができる。
【発明を実施するための最良の形態】
【００３０】
［実施の形態１］
図１は、本発明の実施の第１の形態に係る組立て装置１の構造を示す断面図である。この組立て装置１は、延性を有する材料で環（リング）状に形成された金属部品であるエンジンのコネクティングロッド２を、仮組みするための組立て装置である。図２は前記コネクティングロッド２の正面図であり、図３は図２の切断面線III−IIIから見た、すなわち軸線方向断面図である。
【００３１】
前記コネクティングロッド２は、スチールによって一体物として鍛造され、切欠３の部分で、いわゆるクラッキングによって、ロッド本体４とキャップ５とに一旦分割された後、ボルト６およびナット７で締結されることによって、破断面の凹凸を利用して、位置決めピン等を用いることなく、簡単に接合面の面ずれを防止し、コストダウンや軽量化を実現するようにしたものである。前記の破断工程には、前述の特許文献１の手法を用いることができ、貫通孔８に半割型マンドレルを嵌合し、その半割型マンドレルに楔を打ち込むことで破断を行うことができる。
【００３２】
そして、このコネクティングロッド２は、前記環（リング）状部である貫通孔８内に別部材であるクランクシャフトを挿通した（抱え込ませた）状態で前記ロッド本体４とキャップ５とを締結し、さらにもう１つの貫通孔９に、ピストンピンが挿通されるエンジンの本組立ての前に、前記貫通孔８内の仕上げ加工にあたって、前記組立て装置１によって、前述のように仮組立てが行われるものである。その仮組立てによって後述するように調整が行われ、前記仕上げ加工が行われた後、再び分解されて、仮組立てに使用されたボルト６およびナット７と合わせて前記本組立ての工程に送られる。
【００３３】
図１を参照して、注目すべきは、本実施の形態の組立て装置１では、前記ロッド本体４とキャップ５とに分割されたコネクティングロッド２は、基台１１上に搭載され、一対のナットランナー１２によって、前記ナット７をボルト６に締結することで前記仮組立てを行うにあたって、前記貫通孔８の部分に超音波振動を与える超音波振動手段１３が設けられていることである。この超音波振動手段１３は、前記超音波振動を発生する超音波振動子１４に、発生された超音波を前記貫通孔８の内周側から前記ロッド本体４およびキャップ５に伝播するプレート１５とを備えて構成される。プレート１５は、前記貫通孔８内に嵌り込み、また締結による内径変化に対応可能なように、円錐台状に形成される。
【００３４】
前記コネクティングロッド２の交換時には、前記超音波振動手段１３は、仮想線で示すように前記基台１１上から退避しており、作業者によって、図示しない治具などに位置決めされて前記ロッド本体４が基台１１上に搭載され、さらに接合面（延性破断面）が一致するようにキャップ５が基台１１上に搭載され、ボルト６がボルト孔に挿通され、ナット７が仮締めされた状態で、前記超音波振動手段１３は基台１１上に移動され、該超音波振動手段１３が連結されている押え部材１６によって前記ロッド本体４が押さえ込まれた後、該超音波振動手段１３が前記ロッド本体４およびキャップ５に接触する。その後、該超音波振動手段１３によって前記超音波振動を与えながら、前記ナットランナー１２によってナット７の締結が行われる。
【００３５】
このように構成することで、延性を有する材料から成るコネクティングロッド２において、破断工程で相互に分割されたロッド本体４とキャップ５とをボルト６とナット７とで一体に組立てる（締結する）にあたって、超音波振動を与えることで、ブラハ効果および部材間の摩擦の低減によって、僅かな押圧力でロッド本体４とキャップ５とを押圧するだけで、接合面（延性破断面）は発熱して軟化し、良く馴染んで互いに密着することになる。これによって、前記破断工程で生じた破断面（接合面）における凹凸面の変形の修正や切粉の圧縮、およびボルト孔の真直度の修正などを行い、前記接合面（延性破断面）を完全一致に近い状態で締結できるようになる。また、そのような破断面（接合面）の修正等にボルト６の軸力（締結力）は殆ど使用されない。こうして、ロッド本体４とキャップ５との間の接触面積の低下による分離荷重の低下を抑え、疲労限界を大きくすることができる。
【００３６】
特に、エンジンのコネクティングロッド２の場合、前記コストダウンや軽量化の要求が厳しく、スチールクラッキングが好適であるが、精度や分離荷重にも厳しい値が要求されるので、本発明を特に好適に実施することができる。
【００３７】
図４は、上述のように構成される組立て装置１を用いる本発明の実施の一形態の組立て工程を説明するための図である。ステップＳ１の破断工程では、一体物として鍛造されたコネクティングロッド２が、前述の特許文献１のスチールクラッキングの手法を用いて、前記ロッド本体４とキャップ５とに一旦分割される。続いてステップＳ２の計測工程では、前記破断工程によって、分割部分に生じた径Ｄの収縮ΔＤ（図１０参照）が計測される。その計測には、ノギスや三次元測定装置などを用いることができる。
【００３８】
その計測結果を用いて、ステップＳ３の矯正工程では、図５で示すような矯正治具２１を用いて、前記収縮ΔＤ分の矯正が行われる。この矯正治具２１は、図示しない基台上に立設したガイドピン２２によって前記ロッド本体４およびキャップ５を前記貫通孔８の外方側から保持固定し、前記貫通孔８内に挿入した固定ピース２３によって分割部分の一方を固定し、他方を前記固定ピース２３と離反変位することができる移動ピース２４で拡径させて前記収縮ΔＤ分を矯正するものである。このように破断工程で生じた貫通孔８の径Ｄの収縮ΔＤ分を計測し、その計測結果に応じて拡径するように矯正しておくことで、接合面（延性破断面）２５の傾きを無くすことができるとともに、ボルト孔２６の真直度を高めることができる。これによって、前記接合面（延性破断面）２５をより完全一致に近い状態で締結することができる。
【００３９】
続いて、ステップＳ４のブラッシング工程では、前記破断面（接合面）２５がブラッシングされて切粉が除去される。このブラッシング工程を行うことで、前記接合面（延性破断面）２５を、より完全一致に近い状態で締結できる。
【００４０】
その後、ステップＳ５の仮組立てによる締結工程では、前述のように超音波振動を与えながらロッド本体４とキャップ５とが締結され、ステップＳ６の仕上げ工程において、前記貫通孔８内の仕上げ加工が行われる。その後、ステップＳ７の再分解工程において、前記ロッド本体４とキャップ５との締結が解除され、ボルト６とナット７とを合わせてステップＳ８の前記本組立ての工程に送られ、クランクシャフトに組付けられる。
【００４１】
［実施の形態２］
図６は、本発明の実施の第２の形態に係る組立て装置３１の構造を示す側面図である。この組立て装置３１は、前述の組立て装置１に類似し、対応する部分には同一の参照符号を付して示し、その説明を省略する。組立てられるコネクティングロッド２についても、同様である。注目すべきは、この組立て装置３１では、超音波振動手段として、コネクティングロッド２の前記環（リング）状部である貫通孔８の外径方向から超音波を伝播する第１の超音波振動手段３２と、前記貫通孔８の軸方向（第１の超音波振動手段３２とは直角方向）から超音波を伝播する第２の超音波振動手段３３とを備えて構成されることである。
【００４２】
基台３４上には、ピン３５および案内軸３６によって、ピン３５の軸回りに若干の揺動変位可能なフローティング基板３７が支持されており、そのフローティング基板３７上に設けられた治具３８，３９上に、前記コネクティングロッド２が搭載される。その一方の治具３８は、前記コネクティングロッド２におけるロッド本体４の頭部４ａを支持する載置部３８ａに、前記頭部４ａが当接する当り片３８ｂを備え、コネクティングロッド２の軸線方向断面で、Ｌ字型に形成される。そして、前記当り片３８ｂの外方側から、前記第１の超音波振動手段３２が超音波振動を与えると、前記ロッド本体４側からキャップ５側へ、それらの接合面の押圧方向（締結方向）に超音波が伝播し、前記ナットランナー１２によるナット７の締付けによって、前記ロッド本体４とキャップ５とが容易に密着する。
【００４３】
一方、前記案内軸３６によって昇降基板４２が昇降変位自在に支持されており、この昇降基板４２の下面には、プレート４０がばね４１によって弾発的に支持されている。したがって、治具３８，３９上に搭載された前記コネクティングロッド２に対して、前記昇降基板４２が下降すると前記プレート４０が前記ばね４１による一定の押圧力で、かつ前記ピン３５およびばね４１によって、フローティング基板３７とプレート４０とが相互に平行となって、前記プレート４０がコネクティングロッド２に密着する。その状態で前記第２の超音波振動手段３３によって超音波振動が発生されると、プレート４０を介してコネクティングロッド２に、前記ロッド本体４とキャップ５との接合面の側方から超音波が伝播され、該ロッド本体４とキャップ５との密着を促進する。
【００４４】
このように構成することで、前記接合面（延性破断面）はより良く馴染み（一層の軟化を図れ）、該接合面（延性破断面）をより完全一致に近い状態で締結でき、ロッド本体４とキャップ５との間の接触面積の低下による分離荷重の低下を一層抑えることができる。好ましくは、前記超音波振動手段３２，３３を交互に動作させることで、前記接合面（延性破断面）の軟化をより効果的に行うことができる。
【００４５】
［実施の形態３］
図７は、本発明の実施の第３の形態に係る組立て装置５１の構造を示す平面図である。この組立て装置５１は、前述の組立て装置３１に類似し、対応する部分には同一の参照符号を付して示し、その説明を省略する。この図７では、図面の簡略化のために、前記フローティング基板３７よりも下方の構成やプレート４０よりも上方の構成は省略している。注目すべきは、この組立て装置５１では、前記コネクティングロッド２において、ロッド本体４とキャップ５とが、貫通孔８の周囲で互いに半割れ状に２分割されているのに対して、前記第１の超音波振動手段３２が、前記半割れ（１８０°）の中央位置（９０°位置：直径線Ｄで示す）から、参照符号ΔＤだけずれて（オフセット）配置されることである。
【００４６】
このようにオフセット配置すると、前記接合面（延性破断面）には捻れ振動が発生することになり、前記接合面（延性破断面）はより良く軟化し、該接合面（延性破断面）をより完全一致に近い状態で締結でき、ロッド本体４とキャップ５との間の接触面積の低下による前記分離荷重の低下をより一層抑えることができる。
【００４７】
［実施の形態４］
図８は、本発明の実施の第４の形態に係る組立て装置６１の構造を示す側面図である。この組立て装置６１も、前述の組立て装置３１に類似し、対応する部分には同一の参照符号を付して示し、その説明を省略する。注目すべきは、この組立て装置６１では、前記第２の超音波振動手段３３に代えて、超音波よりも低く、振幅の大きな振動を与える音波振動手段６３が用いられることである。前記音波振動手段６３は、重錘を回転させることで振動を発生するバイブレータなどで実現することができる。
【００４８】
このように構成することで、前記ロッド本体４とキャップ５との締結の前に、前記音波振動手段６３によって、分割されている前記ロッド本体４とキャップ５との少なくとも一方に前記音波振動を与えることで、切粉除去を行うことができる。これによって、前記ステップＳ４でのブラッシング工程を省略することができる。また好ましくは、前記第２の超音波振動手段３３と音波振動手段６３とがプレート４０に取付けられることで、前記貫通孔８の軸方向（第１の超音波振動手段３２とは直角方向）からの超音波の伝播も行われ、前記第２の超音波振動手段３３と音波振動手段６３とにプレート４０を共用することができる。
【００４９】
ここで、特開２００７−１８５７３１号公報には、圧電アクチュエータの作用部にネジ部材を接触させ、超音波振動によって締結することで、ネジの頭部にドライバー等に対応した刻印を設けなくてよいようにして、美観の向上や不所望な緩め操作を防止するようにしたネジ締結方法が示されており、前記圧電アクチュエータの作用部には複数のネジ部材を同時に接触させることも示されている。しかしながら、この先行技術では、ネジ自体に超音波を当てて、超音波のエネルギーはネジを回すために消費されるのに対して、本願発明では、超音波のエネルギーは、接合面（延性破断面）２５を一致させるために使用され、全く異なるものである。
【図面の簡単な説明】
【００５０】
【図１】本発明の実施の第１の形態に係る組立て装置の構造を示す断面図である。
【図２】コネクティングロッドの正面図である。
【図３】図２の切断面線III−IIIから見た断面図である。
【図４】前記の組立て装置を用いる本発明の実施の一形態の組立て工程を説明するための図である。
【図５】前記コネクティングロッドの破断による変形の矯正方法を説明するための図である。
【図６】本発明の実施の第２の形態に係る組立て装置の構造を示す側面図である。
【図７】本発明の実施の第３の形態に係る組立て装置の構造を示す平面図である。
【図８】本発明の実施の第４の形態に係る組立て装置の構造を示す側面図である。
【図９】前記コネクティングロッドの破断による破断面の変形の様子を説明するための図である。
【図１０】前記コネクティングロッドの破断による締結用ボルト孔の真直度のずれの様子を説明するための図である。
【符号の説明】
【００５１】
１，３１，５１，６１    組立て装置
２    コネクティングロッド
４    ロッド本体
５    キャップ
６    ボルト
７    ナット
８，９    貫通孔
１１    基台
１２    ナットランナー
１３    超音波振動手段
１４    超音波振動子
１５    プレート
１６    押え部材
２１    矯正治具
２３    固定ピース
２４    移動ピース
２５    接合面（延性破断面）
２６    ボルト孔
３２    第１の超音波振動手段
３３    第２の超音波振動手段
３４    基台
３７    フローティング基板
３８，３９    治具
４０    プレート
４１    ばね
４２    昇降基板
６３    音波振動手段
【図１】
2010131622.tif 000003
【図２】
2010131622.tif 000004
【図３】
2010131622.tif 000005
【図４】
2010131622.tif 000006
【図５】
2010131622.tif 000007
【図６】
2010131622.tif 000008
【図７】
2010131622.tif 000009
【図８】
2010131622.tif 000010
【図９】
2010131622.tif 000011
【図１０】
2010131622.tif 000012